(57)【要約】【課題】本体を組み込んだシステムキッチンの前面開口部の木片やロースター部のハンドルが高温になるのを防止する。【解決手段】本体２内にロースター部４を備え、ロースター部４は加熱庫４ａと、加熱庫４ａ内に配置されたヒータ２３と、加熱庫４ａ内に収納された受皿１６と、受皿１６に載置された焼網１５と、加熱庫４ａの前面開口部を開閉するドア３２と、ドア３２に設けられた横長のハンドル１１と、制御回路と、送風ファン２０とを備えた加熱調理器において、ハンドル１１のドア３２側とその手前側に下面から上面に貫通する横長の排気放出穴１１ｂと断熱スリット１１ｃを並べて設け、加熱庫４ａの前面側底部と排気放出穴１１ｂとの間に、加熱庫４ａの前面側から漏れる温度の高い空気を排気放出穴１１ｂに誘導する排気誘導路１１ａを設けた。【選択図】  図５
2011012908.tif 000002
【特許請求の範囲】
【請求項１】
本体内にロースター部を備え、該ロースター部は加熱庫と、該加熱庫の上部又は上下に配置されたヒータと、前記加熱庫内に出入り自在に収納された受皿と、該受皿に載置され被加熱物を載せる焼網と、前記加熱庫の前面開口部を開閉するドアと、該ドアの前面に設けられた横長のハンドルと、前記ヒータを制御する制御回路と、該制御回路を冷却する送風ファンとを備えた加熱調理器において、
前記ハンドルの前記ドア側とその手前側に下面から上面に貫通する横長の排気放出穴と断熱スリットを並べて設け、
前記加熱庫の前面側底部と前記排気放出穴との間に、前記加熱庫の前面側から漏れる温度の高い空気を前記排気放出穴に誘導する排気誘導路を設けた、ことを特徴とする加熱調理器。
【請求項２】
前記排気誘導路は、前記排気放出穴側の端部を前記ハンドルに接合し、反対側の先端部分を前記本体の外郭下に移動可能なように略接触させることを特徴とする請求項１記載の加熱調理器。
【発明の詳細な説明】
【技術分野】
【０００１】
本発明は、魚等を焼くロースター部を備えた誘導加熱調理器等の加熱調理器に関するものである。
【背景技術】
【０００２】
従来のこの種の加熱調理器は、加熱庫内に出し入れ自在に収納された受皿に焼網を載置し、該焼網上に魚等の被加熱物を載せ、それらを加熱庫内に収納して該加熱庫内の上又は上下に設けたヒータにより加熱して被加熱物を焼き上げるものである。
【０００３】
そして、上記加熱調理器は、器具単体で用いられるものや誘導加熱調理器の中に一体に組み込み、これをシステムキッチンの上面から中に落とし込んで設置される組み込み式のものがあり、近年では複合調理器としての組み込み式のものが主流になりつつある。
【０００４】
組み込み式の誘導加熱調理器は、調理器本体内の上部左右及び後部中央に被加熱物である鍋を加熱する加熱コイルを配置し、該加熱コイルの何れか一方の下部に上記したロースター部（グリル，オーブンと呼ぶこともある）を配置し、他側の空間部に加熱コイルに電力を供給するインバータ回路や、該インバータ回路から加熱コイルに供給する電力を調整して火力等を制御する制御回路を組み込み、インバータ回路と制御回路の後方に、該インバータ回路や制御回路を構成する電子部品を強制的に冷却するように送風ファンを組み込み、本体の上面に耐熱ガラスからなるプレートを設置している。
【０００５】
このような誘導加熱調理器においては、前記送風ファンを駆動すると、本体の前面側底部や後部側上面に設けられた吸気口から外気を吸い込み、吸い込んだ温度の低い空気を加熱コイルやインバータ回路，制御回路を搭載する基板の電子部品に向けて送風し、これらの電子部品を冷却するため、本体内の内圧を高めて排気口から排出される。
【０００６】
このため、本体を構成する外郭部品の嵌合部や合わせ目を通して温度の高い空気が外部に漏れる問題がある。特に、ロースター部を使用して魚等の被加熱物を調理する場合には、ロースター部を構成する加熱庫の熱が該加熱庫のヒータを制御する制御回路に伝わって電子部品に悪影響を与えるのを防止するため、送風ファンからの冷却風によって電子部品を強制的に冷却するようにしており、これによって、電子部品を冷却した後の冷却風の一部が加熱庫を構成する壁面の表面に沿って流れ、前記ヒータで加熱された加熱庫壁面によって温度が上昇し、加熱庫前面部の部品の嵌合部や合わせ目から漏れ、加熱庫の前面部とドアの隙間から外部に漏れてしまう。そして、この漏れた温度の高い空気は、システムキッチンの前面開口部の木片や加熱庫のドアのハンドルを加熱し、使用者に不快感を与えてしまう。
【０００７】
前記の問題を解決するものとして特許文献１に示すように、本体内に冷却専用ファンと排気専用ファンを配置し、冷却専用ファンで吸気口から取り入れた空気でインバータ回路や制御回路の基板や加熱コイルを効率よく冷却したのち、排気専用ファンで確実に排気口から排気するようにしたものがある。
【先行技術文献】
【特許文献】
【０００８】
【特許文献１】特開平１１−３５４２６４号公報
【発明の概要】
【発明が解決しようとする課題】
【０００９】
上記した特許文献１に示すものは、本体内部の圧力損失に関係なく、冷却専用ファンと排気専用ファンを設けることによって排気経路を強制的に作り、吸い込んだ空気を強制的に排出するものである。
【００１０】
しかしながら、この構成では、それまでの送風ファン一つで加熱コイルやインバータ回路を冷却していたものから冷却専用ファンと排気専用ファンの二つを配置する構成に変更する場合に、本体内部の二つのファンの取付け個所や風路等、配置構成を大幅に変更する必要があり、その変更に際して多くの時間と費用を費やす必要がある。
【課題を解決するための手段】
【００１１】
本発明は、上記の課題を解決するためになされたもので、本体内にロースター部を備え、該ロースター部は加熱庫と、該加熱庫の上部又は上下に配置されたヒータと、前記加熱庫内に出入り自在に収納された受皿と、該受皿に載置され被加熱物を載せる焼網と、前記加熱庫の前面開口部を開閉するドアと、該ドアの前面に設けられた横長のハンドルと、前記ヒータを制御する制御回路と、該制御回路を冷却する送風ファンとを備えた加熱調理器において、前記ハンドルの前記ドア側とその手前側に下面から上面に貫通する横長の排気放出穴と断熱スリットを並べて設け、前記加熱庫の前面側底部と前記排気放出穴との間に、前記加熱庫の前面側から漏れる温度の高い空気を前記排気放出穴に誘導する排気誘導路を設けたものである。
【発明の効果】
【００１２】
上記本発明によれば、ロースター部の使用時に加熱庫の前面側から漏れる温度の高い空気がハンドルのドア側に設けた排気誘導路を通り、ドアに沿って上面に排出され、また、ドアの手前側に断熱スリットを設けていることにより、システムキッチンの前面開口部の木片やドアのハンドルが高温になることがなくなり、使用者は安心してロースター部を使用して魚等の被加熱物を調理することができる。
【図面の簡単な説明】
【００１３】
【図１】本発明の誘導加熱調理器をシステムキッチンに組み込んだ状態を示す斜視図である。
【図２】同誘導加熱調理器が組み込まれるシステムキッチンの外観斜視図である。
【図３】同誘導加熱調理器を左前方から見た斜視図である。
【図４】同誘導加熱調理器の右側の主要縦断面図（図１のＡ−Ａ断面図）である。
【図５】同誘導加熱調理器の加熱庫の主要断面図（図１のＢ−Ｂ断面図）である。
【図６】同誘導加熱調理器のロースター部のドアを除いた状態の正面図である。
【図７】同ロースター部のハンドルを上面から見た説明図である。
【発明を実施するための形態】
【００１４】
以下、本発明の実施例を上記した図１から図７に従って説明する。
【００１５】
各図において、１はシステムキッチンで、上面と前面に上面開口部２６ａ，前面開口部２６ｂが開いている。
【００１６】
２は加熱調理器の本体で、ここでは誘導加熱調理器を用いて説明する。２２は本体２の外郭で、右側面を外郭右２２ａ、左側面を外郭左２２ｂ、底面を外郭下２２ｃ、後面を外郭後２２ｄで構成している。
【００１７】
３は本体２の上面に配置された耐熱ガラス等からなるプレートで、調理を行う際の調理鍋（図示せず）を載置するものである。
【００１８】
６は調理時に調理鍋を加熱する場所を示す載置部で、プレート３の上面手前に載置部右６ａと載置部左６ｂが配置され、これら両載置部の奥に載置部中央６ｃが配置され、この下に調理鍋を加熱する加熱コイル２１が搭載されている。
【００１９】
１４はプレート３の周囲の端面を保護するプレート枠で、前後、左右のフレームによって構成されており、誘導加熱調理器の本体２をシステムキッチン１の上面開口部２６ａから該システムキッチン１内に落し込んだ際、前記上面開口部２６ａの周縁部に当接して本体２を保持するものである。
【００２０】
また、本体２をシステムキッチン１内に落し込んだ際、前面左側に設けられているロースター部４のドア３２と右側に配置されている操作パネル５を前面開口部２６ｂに通し、前面から操作ができるようになっている。なお、ロースター部４と操作パネル５は左側と右側が逆であっても良い。また、ロースター部４の詳細については、後述する。
【００２１】
９は加熱コイル２１の火力や自動調理などを設定する上面操作部で、本体１前面のフレーム１４の上部に配置され、調理鍋を置く載置部右６ａ，載置部中央６ｃ，載置部左６ｂに対応して右から上面操作部右９ａ，上面操作部中央９ｃ，上面操作部左９ｂとに分けて配置している。
【００２２】
１０は上面表示部で、上面操作部９の設定内容や加熱の状態を表示するものであり、上面操作部９に対応して上面表示部右１０ａ，上面表示部中央１０ｃ，上面表示部左１０ｂとに分けて配置している。
【００２３】
７は本体２後方のフレーム１４に設けられた吸気口で、外部の空気を本体２内に吸い込むところであり、該吸気口７から吸い込んだ空気を使用して本体２の内部で発熱する加熱コイル２１や後述する電子部品を冷却する。
【００２４】
８は本体２後方のフレーム１４に設けられた排気口で、吸気口７から吸い込んだ空気で加熱コイル２１や電子部品を冷却した後の温度上昇した廃熱を本体２の外部に排出するところである。
【００２５】
４は魚やピザ等を焼くためのロースター部で、前記したように本体２の前面左側で載置部左６ｂと対応した加熱コイル２１の下面に配置され、加熱庫４ａの前面側に魚などの被加熱物１３を出し入れするための開口部４ｂ有し、内部には開口部４ｂを通して出し入れされる受皿１６と、該受皿１６内に載置され、被加熱物１３を載せる焼網１５が設けられている。
【００２６】
また、加熱庫４ａには被加熱物１３を加熱するヒータ２３（上ヒータ２３ａ、又は上ヒータ２３ａと下ヒータ２３ｂ）が設けられている。
【００２７】
３２は、加熱庫４ａの開口部４ｂを閉塞するドアで、開口部４ｂの周囲に形成された平面からなる加熱庫前面部４ｃに面接触して開口部４ｂを閉塞する。
【００２８】
１１はドア３２に設けられた横長のハンドルで、加熱庫４ａに被加熱物１３を出し入れする時にドア３２で火傷をしないようにするものである。
【００２９】
ハンドル１１には、ドア３２側と手前側に図７に示すように、横長の排気放出穴１１ｂと断熱スリット１１ｃが下面から上面に貫通するように並べて設けられており、また、断熱スリット１１ｃよりさらに手前側の下面には、使用者がドア３２を引き出すために指を掛ける溝１１ｄ（溝１１ｄはハンドル１１を上下に貫通してハンドル１１を握れるようにしても良い）が設けられている。
【００３０】
１１ａは排気誘導路で、板材によって構成され、加熱庫４ａの前面側底部と前記排気放出穴１１ｂとの間に設けられ、加熱庫４ａの前面側底部とドア３２の接触面イを下側から覆い、該接触面イから漏れる温度の高い空気を排気放出穴１１ｂに誘導するものであり、排気放出穴１１ｂ側の端部はハンドル１１に接合され、反対側の先端部分は外郭下２２ｃに移動可能なように略接触させている。
【００３１】
５は本体２の前面右側に配置したカンガルー式の開閉機構を備えた操作パネルで（図１，図３，図４は操作パネル５を閉じた状態を示す）、該操作パネル５を開くと前面にロースター４の火力を設定する操作部と、設定内容と加熱の状態を表示する表示部が露出し、火力の設定等ができる。
【００３２】
本体２の外郭２２の内部で加熱庫４ａの隣、すなわち操作パネル５の後側の空間部には、図４に示すように、加熱コイル２１に電力を供給するインバータ回路を搭載したインバータ基板１７と、上面操作部９で設定した火力に応じた電力を加熱コイル２１に供給するようにインバータ回路を制御する制御回路を搭載した制御基板１９が搭載されている。
【００３３】
インバータ基板１７は、電力を供給する加熱コイル２１に対応して設けられ、最下部には左右の加熱コイルに電力を供給するインバータ回路を搭載した左右インバータ基板１７ａが配置され、その上段には、加熱コイル中央に電力を供給するインバータ回路を搭載した中央インバータ基板１７ｂが配置されている。
【００３４】
一般的に上段の基板は下段基板の熱を受けやすいが、加熱コイル中央は最大入力が他の加熱コイルに比べて低いので中央インバータ基板１７ｂの電子部品の発熱量は小さい。そのため、加熱コイル中央を駆動する中央インバータ基板１７ｂを上段に配置している。
【００３５】
また、夫々のインバータ基板１７において、通電すると発熱の大きい電子部品には、効率良く冷却できるように放熱フィン１８が取付けられている。
【００３６】
２０は送風ファンで、吸気口７の風下でインバータ基板１７，制御基板１９，加熱コイル２１，その他の部品より上流側に設置し、送風ファン２０から送風した風でインバータ基板１７、加熱コイル２１等を冷却するものである。
【００３７】
また、送風ファン２０は、吸気口７より冷却に必要な外気を吸い込み、吸い込んだ空気をインバータ基板１７，放熱フィン１８に送風し、該インバータ基板１７を冷却した後、加熱コイル２１に向けて流れ、各部品を冷却した後、温度が上昇して排気口８より本体２の外部に排出される。排気口８より排出される排気温度は概ね６０℃前後に上昇している。
【００３８】
本実施例は以上の構成よりなるもので、次にその動作について説明する。
【００３９】
使用者が魚を焼く場合、ハンドル１１の溝１１ｄに手を掛けて加熱庫４ａから受皿１６を引き出し、受皿１６に載置されている焼網１５の上に魚である被加熱物１３を載置する。
【００４０】
そして、被加熱物１３を載せた受皿１６を加熱庫４ａに収納しドア３２を閉めると、ハンドル１１に設けられた排気誘導路１１ａが本体２の外郭下２２ｃに略接触し、加熱庫４ａの開口部４ｂとドア３２の結合部イを覆う。
【００４１】
調理が開始すると、ヒータ２３（上ヒータ２３ａ，下ヒータ２３ｂ）に通電されると同時に送風ファン２０にも通電される。
【００４２】
ヒータ２３は発熱を開始し、加熱庫４ａの温度上昇に伴い該ロースター部４の壁面の温度も上昇する。
【００４３】
送風ファン２０は、吸気口７から外気を吸い込み、吸い込んだ空気をインバータ基板１７の放熱フィン１８や制御基板１９に送風し、該各基板１７，１９を冷却した後、加熱コイル２１に向けて流れ、各部品を冷却した後、温度が上昇して排気口８より本体２の外部に排出される。
【００４４】
このとき、本体２の内部では吸気口７から吸い込まれた空気によって内圧が高くなり、温度上昇した空気は排気口８から排出される前に一部が部品の合わせ目等の小穴から漏れ始める。
【００４５】
そして、加熱庫前面部４ｃより漏れた空気は、開口部４ｂとドア３２の結合部イを通り抜けて、開口部４ｂとドア３２との結合部イを覆う排気誘導路１１ａに流れ、該排気誘導路１１ａに誘導されてハンドル１１の排気放出穴１１ｂから上昇気流に乗って上方に排出され、本体２の前面側に排出されることがなくなる。
【００４６】
この状態で被加熱物１３の加熱が進むと、ロースター部４の壁面によって周囲の温度が上昇し、結合部イから漏れる空気も温度が上昇する。
【００４７】
しかし、その温度上昇した空気は、前記したようにハンドル１１の排気放出穴１１ｂから排出され、上昇気流に乗って上昇し、しかも排気放出穴１１ｂの手前側に断熱スリット１１ｃがあることにより、熱伝導が阻止され、使用者が手を掛けるハンドル１１の溝１１ｄが温度上昇することはない。また、本体２を組み込んだシステムキッチンの前面開口部の木片等が温度上昇することがない。
【００４８】
一定時間後、被加熱物が焼きあがると、使用者はハンドル１１の溝１１ｄに手を掛けてドア３２とともに受皿１６をロースター部４の開口部４ｂから前面に引き出し、焼網１５から被加熱物１３を取り出す。
【００４９】
このとき、使用者が手を掛けるハンドル１１の溝１１ｄは、前記したように、その温度の上昇した空気がハンドル１１の排気放出穴１１ｂから排出され、上昇気流に乗って上昇し、しかも排気放出穴１１ｂの手前側に断熱スリット１１ｃがあることにより、熱伝導が防止されて温度上昇することはなく、安心してドア３２を開けて被加熱物１３を取り出すことができる。また、このとき、使用者の手に温度が高くなった空気が触れて不快な思いをすることがない。
【００５０】
また、排気誘導路１１ａの外郭表面も前記した上昇気流による外気によって冷やされ、使用者が被加熱物を出すときに手を深く入れて触れても火傷する心配はなく、誤って受皿１６に手を触れることもなくなり、防護壁の役割も果たす。
【００５１】
さらに、ハンドル１１の溝１１ｄを手で持つ他、排気誘導路１１ａを手で支えることも可能となり、安定して被加熱物の出し入れが可能となり、使用者は安心してロースター部を使用して魚等の被加熱物を調理することができる。
【００５２】
さらに、システムキッチンの前面開口部の木片が高温になることがなくなる。
【００５３】
以上説明したように、本実施例によれば、ロースター部の使用時に加熱庫の前面側から漏れる温度の高い排気はハンドルのドア側に設けた排気誘導路を通り、ドアに沿って上面に排出され、また、ドアの手前側に断熱スリットを設けていることにより、システムキッチンの前面開口部の木片やドアのハンドルが高温になることがなくなり、使用者は安心してロースター部を使用して魚等の被加熱物を調理することができる。
【符号の説明】
【００５４】
１  システムキッチン
３  プレート
４  ロースター部
４ａ  加熱庫
１１  ハンドル
１１ａ  排気誘導路
１１ｂ  排気放出穴
１１ｃ  断熱スリット
３２  ドア
【図１】
2011012908.tif 000003
【図２】
2011012908.tif 000004
【図３】
2011012908.tif 000005
【図４】
2011012908.tif 000006
【図５】
2011012908.tif 000007
【図６】
2011012908.tif 000008
【図７】
2011012908.tif 000009